(57)【要約】【課題】主に、屋根パネルの生産性を向上し得るようにする。【解決手段】一対の縦枠材１３と一対の横枠材１４とを組み合わせて成る矩形状の屋根枠１５と、屋根枠１５の上面に張設された矩形状の屋根面材１６とを有する屋根パネル４に関する。  屋根枠１５は、縦枠材１３が、屋根面材１６の幅両側部よりも内側に位置された共用枠２１となっている。  共用枠２１は、縦枠材１３の外側面に屋根仕様に応じた第二の縦枠材２２を取付けられるようになっている。  第二の縦枠材２２は、鋼製外垂木３１としても良い。  鋼製外垂木３１は、縦枠材１３よりも高さ寸法が小さいものとされて、屋根面材１６との間に隙間３２を有して取付けられても良い。【選択図】図６
2020128669.tif 000002
【特許請求の範囲】
【請求項１】
一対の縦枠材と一対の横枠材とを組み合わせて成る矩形状の屋根枠と、該屋根枠の上面に張設された矩形状の屋根面材とを有する屋根パネルであって、
前記屋根枠は、前記縦枠材が、前記屋根面材の幅両側部よりも内側に位置された共用枠となっており、
該共用枠は、前記縦枠材の外側面に屋根仕様に応じた第二の縦枠材を取付けられるようになっていることを特徴とする屋根パネル。
【請求項２】
請求項１に記載の屋根パネルであって、
前記第二の縦枠材は、鋼製外垂木であり、
該鋼製外垂木は、前記縦枠材よりも高さ寸法が小さいものとされて、前記屋根面材との間に隙間を有して取付けられることを特徴とする屋根パネル。
【発明の詳細な説明】
【技術分野】
【０００１】
この発明は、屋根パネルに関するものである。
【背景技術】
【０００２】
住宅などの建物には、屋根を屋根パネルによって構成したものがある。このような屋根パネルには、一対の縦枠材と一対の横枠材とを組み合わせて成る矩形状の屋根枠の上面に矩形状の屋根面材を張設したものがある（例えば、特許文献１、特許文献２参照）。一般に、屋根枠は屋根面材と同じ大きさに形成される。
【先行技術文献】
【特許文献】
【０００３】
【特許文献１】特開平９−２７９７６１号公報
【特許文献２】特開２００１−２１９４０７号公報
【発明の概要】
【発明が解決しようとする課題】
【０００４】
しかしながら、屋根パネルは、仕様ごとにそれぞれ異なる構造となっていたので、複数種類の屋根パネルが存在しており、生産性が悪かった。
【０００５】
そこで、本発明は、主に、上記した問題点を解決することを目的としている。
【課題を解決するための手段】
【０００６】
上記課題を解決するために、本発明は、
一対の縦枠材と一対の横枠材とを組み合わせて成る矩形状の屋根枠と、該屋根枠の上面に張設された矩形状の屋根面材とを有する屋根パネルであって、
前記屋根枠は、前記縦枠材が、前記屋根面材の幅両側部よりも内側に位置された共用枠となっており、
該共用枠は、前記縦枠材の外側面に屋根仕様に応じた第二の縦枠材を取付けられるようになっていることを特徴とする。
【発明の効果】
【０００７】
本発明によれば、上記構成によって、屋根パネルの生産性を向上することなどができる。
【図面の簡単な説明】
【０００８】
【図１】建物の屋根に対して屋根パネルを施工している状態を示す斜視図である。
【図２】（ａ）はこの実施例にかかる屋根パネル（標準仕様）を構成する共用枠に第二の縦枠材を取付ける状態を示す分解斜視図、（ｂ）は（ａ）の縦枠材および第二の縦枠材の断面図である。
【図３】図２の屋根パネルを横枠材の側から見た側面図である。
【図４】比較例にかかる屋根パネル（標準仕様）を横枠材の側から見た側面図である。
【図５】（ａ）はこの実施例にかかる屋根パネル（多雪地仕様など）を構成する共用枠に第二の縦枠材を取付ける状態を示す分解斜視図、（ｂ）は（ａ）の縦枠材および第二の縦枠材の断面図である。
【図６】図５の屋根パネルを横枠材の側から見た側面図である。
【図７】屋根面材の上に屋根仕上材を施工する状態を示す斜視図である。
【図８】捨水切の取付状態を示す屋根パネルの側部の部分的な断面図である。このうち、（ａ）は標準仕様の場合、（ｂ）は多雪地仕様などの場合である。
【図９】比較例にかかる屋根パネル（多雪地仕様）を横枠材の側から見た側面図である。
【発明を実施するための形態】
【０００９】
以下、本実施の形態を、図面を用いて詳細に説明する。
図１〜図９は、この実施の形態を説明するためのものである。
【実施例１】
【００１０】
＜構成＞以下、構成について説明する。
【００１１】
図１に示すように、住宅などの建物１の屋根２を屋根パネル３，４によって構成する。
【００１２】
ここで、建物１は、どのような構造のものであっても良いが、例えば、ユニット建物５などとすることができる。ユニット建物５は、予め工場で製造した建物ユニット６を建築現場へ搬送して、建築現場で組み立てることによって短期間のうちに建物１を構築し得るようにしたものである。建物ユニット６は、基本形状が直方体状とされており、鋼製のものや木製のものなどが存在している。
【００１３】
屋根２は、各種のものが存在しているが、この実施例の場合には、複数の建物ユニット６で構成された建物本体７の上部中央に屋根構造体８を設置し、屋根構造体８の外周に沿って、複数枚の屋根パネル３，４を斜めに設置したものなどとされている。
【００１４】
屋根パネル３，４には、平面視ほぼ三角形状をした三角パネル（屋根パネル３）や、平面視ほぼ矩形状をした矩形パネル（屋根パネル４）などがあり、三角パネル（屋根パネル３）は屋根２のコーナー部分などに設置され、矩形パネル（屋根パネル４）は、三角パネル（屋根パネル３）の間などに設置される。屋根パネル３，４は、クレーンによって吊り上げられて、屋根構造体８の上部に取付けられた水上固定金具１１と、建物本体７の上部に取付けられた軒元固定金具１２との間に斜めに傾斜させた状態で支持固定される。但し、屋根パネル３，４を用いて構成される屋根２の構造は、これに限るものではない。
【００１５】
このうち、矩形パネル（屋根パネル４）は、図２（図３）に示すように、一対の縦枠材１３と一対の横枠材１４とを組み合わせて成る矩形状の屋根枠１５と、屋根枠１５の上面に張設された矩形状の屋根面材１６（図３）とを有するものとされる。
【００１６】
屋根パネル４は、どのような大きさとしても良いが、この実施例では、幅の広いパネルなど（例えば、幅約２５００ｍｍなどの幅広パネルまたは大判パネル）とされている。このような幅広パネルとすることにより、屋根２に対する屋根パネル４の施工効率を向上することが期待できる。
【００１７】
一対の縦枠材１３および一対の横枠材１４は、それぞれ平行に設置される。縦枠材１３および横枠材１４は、例えば、２×４材などで構成することができる。縦枠材１３および横枠材１４は、それぞれ断面が縦長の状態で設置される。屋根枠１５の内側には、必要に応じて、横枠材１４と平行な横桟１７を単数または複数本設けることができる。横桟１７は、横枠材１４と同様に断面が縦長の状態で設置される。また、屋根面材１６は、屋根下地材などとなるものである。
【００１８】
そして、上記のような構成に対し、この実施例は、以下のような構成を備えることができる。
【００１９】
（１）屋根枠１５は、縦枠材１３が、屋根面材１６の幅両側部よりも内側に位置された共用枠２１とされる。
共用枠２１は、縦枠材１３の外側面に屋根仕様に応じた第二の縦枠材２２を取付けられるようになっている。
【００２０】
ここで、縦枠材１３は、屋根２の水上側から水下側へ向けて延ばされる部材であり、共用枠２１にとって、内垂木（第一の縦枠材）となるものである。縦枠材１３の外側面は、第二の縦枠材２２に対する取付面とされる。
【００２１】
共用枠２１は、縦枠材１３の外側面に第二の縦枠材２２を取付けたときに、第二の縦枠材２２が屋根面材１６の幅両側部からハミ出さないように、縦枠材１３を第二の縦枠材２２の分だけ内側に設置したものとされる。即ち、縦枠材１３は、屋根面材１６の幅両側部の位置よりも第二の縦枠材２２の断面の幅寸法分、または、それよりも僅かに大きい分だけ、幅方向の内側に設置される。
【００２２】
共用枠２１は、一対の横枠材１４を同じ長さにしても良いが、例えば、水上側の横枠材１４が短くなり、水下側の横枠材１４が長くなるように、長さを異ならせても良い。この場合、水上側の横枠材１４は、一対の縦枠材１３の間に介在されて、両端部が縦枠材１３の上端部の内側面にそれぞれ当接固定される長さとされる。また、水下側の横枠材１４は、屋根面材１６の幅寸法とほぼ同じ長さとされる。そして、水下側の横枠材１４の水上側の面の端部近傍に、縦枠材１３の下端部が当接固定されるようにする。
【００２３】
第二の縦枠材２２は、水上側から水下側へ向けて延ばされる部材であり、共用枠２１にとって外垂木となるものである。第二の縦枠材２２には、屋根仕様に応じた材質のものを適宜使用することができる。例えば、図２は、標準仕様の屋根パネル４を示しており、この場合には、第二の縦枠材２２に２×４材などが用いられる。第二の縦枠材２２は、縦枠材１３とほぼ同じ長さを有しており、縦枠材１３に対して釘やビスなどの固定具２３で横から固定されることで、縦枠材１３に対して二重化される（部分二重枠構造）。釘やビスなどの固定具２３は、第二の縦枠材２２の長手方向に沿って複数本設置される。釘やビスなどの固定具２３は、例えば、直線状に取付けても良いが、千鳥状に取付けるのが好ましい。第二の縦枠材２２は、図２（ｂ）に示すように、縦枠材１３に対し上部の位置が１ｍｍ程度以下の誤差となるように揃えて設置固定される。
【００２４】
共用枠２１の上側部や下側部には、上記した水上固定金具１１や軒元固定金具１２に取付ける際に用いられる取付ボルト２４などが、縦枠材１３と第二の縦枠材２２とを貫通するように設置されても良い。また、共用枠２１の上側の内側部における、上側の取付ボルト２４の位置には、水上ジョイント金具２５などを取付けても良い。
【００２５】
なお、比較例として図４に示す、既存の標準仕様の屋根パネル４０の場合には、屋根枠１５が屋根面材１６とほぼ同じ大きさに形成されており、この屋根枠１５は、縦枠材１３の外側に第二の縦枠材２２のない一重枠構造となっている。よって、既存の標準仕様の屋根パネル４０は、この実施例の屋根パネル４とは、基本構造が異なっている。
【００２６】
（２）図５（図６）に示すように、第二の縦枠材２２は、鋼製外垂木３１としても良い。
鋼製外垂木３１は、縦枠材１３よりも高さ寸法が小さいものとされて、屋根面材１６との間に隙間３２（図６）を有して取付けられても良い。
【００２７】
ここで、鋼製外垂木３１は、どのようなものとしても良いが、例えば、ウェブ部３１ａの上下端部に共用枠２１の幅方向の外方へ延びる一対のフランジ部３１ｂ，３１ｃを有するＣ字断面のものなどとしても良い。鋼製外垂木３１には、屋根仕様（例えば、多雪地仕様や、太陽光パネル仕様や、瓦仕様や、幅広パネル仕様など）に応じて必要な強度を有するものが使用される。鋼製外垂木３１は、縦枠材１３とほぼ同じ長さを有しており、縦枠材１３に対してボルト・ナットなどの固定具３３で横から固定されることで、二重化される（部分二重枠構造）。その他の構成については、標準仕様の第二の縦枠材２２とほぼ同様である。
【００２８】
鋼製外垂木３１は、図５（ｂ）に示すように、縦枠材１３に対し下部の位置を揃えて設置することで、屋根面材１６との間に所要の隙間３２を形成する。この隙間３２は、図６に示すように、屋根面材１６の上に屋根仕上材３５などを施工する際に、屋根仕上材３５などを固定するための固定具３６の先端部が鋼製外垂木３１に当たらないようにするための間隔が確保される。
【００２９】
そして、屋根面材１６の上に対する屋根仕上材３５などの施工は、まず、図７に示すように、屋根面材１６の上にルーフィング材などの防水シート３７を敷設する。次に、屋根面材１６の水上側の辺部に沿って水上受鋼板３８を取付け、屋根面材１６の水上側の辺部に沿って軒先受金具３９を取付ける。そして、屋根面材１６の幅方向の側部に必要に応じて捨水切４１を取付ける。捨水切４１の取付けの際には、図８に示すように、第二の縦枠材２２の外側面の位置を基準にして寸法管理を行うようにする（寸法管理用治具４２）。
【００３０】
また、図７に示すように、屋根面材１６の上面に、捨水切４１と平行となるようにアンカークリップ４３を所要の間隔で取付ける。捨水切４１やアンカークリップ４３は、板金用ビスやネジなどの固定具４４などを用いて上から屋根面材１６に取付ける。そして、捨水切４１とアンカークリップ４３との間や、隣接するアンカークリップ４３の間に、屋根仕上材３５を取付ける。そして、ルーフィング材などの防水シート３７を、屋根面材１６の縁部に合わせてカットする。
【００３１】
更に、隣接する屋根仕上材３５の側縁部間を上から目地カバー４５で覆い、目地カバー４５の所要位置に雪止金具などを取付けるようにする。途中、必要に応じてアンカークリップ４３の先端部や、水上受鋼板３８と目地カバー４５との間などに、変性シリコーンなどの防水シール剤４７を施工する。
【００３２】
なお、比較例として図９に示す、既存の多雪地仕様の屋根パネル４０の場合は、屋根枠１５には、横枠材１４として２×４材が使用され、縦枠材１３として２×８材や、２×８材と同じ大きさの単板積層材４８が部分三重枠構造などとなるように使用されている。この場合には、２×４材と２×８材などとが混在されることによって、屋根枠１５の下側に段差が生じるので、生産設備には段差部分を支持するための定盤などが必要になる。また、２×８材や単板積層材４８はコストが高く、また、単板積層材４８は固くて釘が打ち難いなどの問題がある。
【００３３】
よって、既存の多雪地仕様の屋根パネル４０は、図４に示す既存の一般地仕様の屋根パネル４０とは、厚みや基本構造などが全く異なるものとなっている。そして、既存の多雪地仕様の屋根パネル４０には、生産性が悪いという問題があった。これに対し、この実施例の場合には、多雪地仕様と一般地仕様とで、屋根パネル４の基本構造は同じで、生産性の良いものとなる。
【００３４】
＜作用＞この実施例の作用は、以下の通りである。
【００３５】
この実施例の建物１では、建物本体７の上に複数枚の屋根パネル３，４を斜めに設置することで、屋根２が形成される。
【００３６】
屋根パネル４には、例えば、一対の縦枠材１３と一対の横枠材１４とを組み合わせて成る矩形状の屋根枠１５と、屋根枠１５の上面に張設された矩形状の屋根面材１６とを有するものを使用することができる。
【００３７】
そして、屋根パネル４を、仕様ごとにそれぞれ異なる構造にした場合、複数種類の屋根パネル４が存在することになるため、生産性が悪くなる。
【００３８】
＜効果＞この実施例によれば、以下のような効果を得ることができる。
【００３９】
（効果 １）屋根パネル４は、屋根枠１５を、屋根面材１６の幅両側部よりも内側に縦枠材１３が位置された共用枠２１としても良い。そして、共用枠２１は、縦枠材１３の外側面に屋根仕様に応じた第二の縦枠材２２を取付けられるようにしても良い。これにより、例えば、共用枠２１に屋根面材１６を張設した基本部分を予め作成して用意しておき、使用するときに共用枠２１を構成する縦枠材１３の外側面に第二の縦枠材２２を取付けるだけで、屋根仕様に応じた屋根パネル４を迅速且つ効率的に製造することができる。
【００４０】
なお、屋根面材１６は、共用枠２１に第二の縦枠材２２を取付けた後で、共用枠２１に取付けることで製造するようにしても良い。
【００４１】
そして、共用枠２１は、既存の屋根枠１５と比べて面積が小さくなっているため、材料コストを抑制することができる。また、共用枠２１は、既存の屋根枠１５と同じ材料と、同じ生産設備とを用いて、ほぼ同様の製造工程で生産できるため、特に製造に手間やコストがかからない。よって、屋根パネル４の基本部分の共用化を図ることや、屋根仕様に応じた最適な屋根パネル４を自在に作れるようにすることや、屋根パネル４の生産性を向上することや、屋根パネル４のコストの削減を図ることなどが可能になる。
【００４２】
（効果 ２）第二の縦枠材２２は、鋼製外垂木３１としても良い。これにより、鋼製外垂木３１は上下方向の荷重に対して高い剛性を有するので、共用枠２１に鋼製外垂木３１を取付けることで、高い強度の屋根パネル４を得ることができる。このような高強度の屋根パネル４は、例えば、多雪地仕様や太陽光パネル仕様や瓦仕様や大判パネル仕様などの場合に利用することができる。そして、高強度の屋根パネル４を、標準仕様の屋根パネル４と同じ厚みに仕上げることができる。
【００４３】
また、鋼製外垂木３１は、縦枠材１３よりも高さ寸法が小さく形成されて、屋根面材１６との間に隙間３２を有して取付けられるようにしても良い。これにより、屋根面材１６の上に屋根仕上材３５などを施工する際に、屋根仕上材３５などを固定する固定具３６が鋼製外垂木３１に当たらないようにすることができる。
【符号の説明】
【００４４】
４      屋根パネル
１３    縦枠材
１４    横枠材
１５    屋根枠
１６    屋根面材
２１    共用枠
２２    第二の縦枠材
３１    鋼製外垂木
３２    隙間
【図１】
2020128669.tif 000003
【図２】
2020128669.tif 000004
【図３】
2020128669.tif 000005
【図４】
2020128669.tif 000006
【図５】
2020128669.tif 000007
【図６】
2020128669.tif 000008
【図７】
2020128669.tif 000009
【図８】
2020128669.tif 000010
【図９】
2020128669.tif 000011